(57)【要約】【課題】グルーブをλ／６未満の深さ、或いは非形成としても、従来のλ／６深さのグルーブを形成する場合と同様のクロストーク低減効果が得られるようにする。【解決手段】光源から受光部までの間の光路中において、光記録媒体の記録面に形成されたトラックのうち読出対象とされるトラックからの反射光成分と該読出対象のトラックに隣接するトラックからの反射光成分との間に所定の位相差を付与する。またこれと共に、光学系としては共焦点光学系を採用する。該構成により、記録面に形成するグルーブの深さに関わらず、光記録媒体に所望深さのグルーブを形成した場合と同様の位相差が付与されるようにできる。つまりこの結果、従来のλ／６深さのグルーブを形成する場合と同様のクロストーク低減効果を、深さλ／６未満のグルーブの形成、或いはグルーブを非形成としても実現可能となる。【選択図】図１
2014102865.tif 000002
【特許請求の範囲】
【請求項１】
光源と、
上記光源より出射された光を光記録媒体に対して照射すると共に、該照射した光に応じて上記光記録媒体の記録面から得られる反射光が入射される対物レンズと、
上記対物レンズを介して得られる上記反射光が入射され、該反射光を集光する集光レンズと、
上記光源より出射された光が上記対物レンズにより上記記録面に合焦するときの上記集光レンズによる焦点位置を共焦点位置とし、上記対物レンズによって上記光記録媒体に照射される光の波長をλ、上記対物レンズの開口数をＮＡとしたとき、上記共焦点位置における上記反射光の中心部光としての、上記共焦点位置における光軸を中心とした直径１．５λ／ＮＡ未満の範囲内の光を抽出して受光する受光部と、
上記光源から上記受光部までの間の光路中に挿入され、上記光記録媒体の上記記録面に形成されたトラックのうち読出対象とされるトラックからの反射光成分と、該読出対象のトラックに隣接するトラックからの反射光成分との間に所定の位相差を付与する位相差付与部と
を備える再生装置。
【請求項２】
上記受光部は、
上記共焦点位置に配置したピンホールによって上記反射光の上記中心部光を抽出する
請求項１に記載の再生装置。
【請求項３】
上記記録面にはλ／６未満の深さによるグルーブが形成され、該グルーブと該グルーブの間に配されたランドとの双方に記録マーク列が形成されていると共に、
上記光源より出射され上記光記録媒体に照射されるまでの光路を往路、上記光記録媒体にて反射され上記受光部により受光されるまでの光路を復路としたとき、上記位相差付与部が、上記往路又は上記復路の何れか一方のみの光に対して位相差を付与する位置に挿入されている
請求項１に記載の再生装置。
【請求項４】
上記位相差付与部は、
上記グルーブにて反射された光と上記ランドにて反射された光との間に生じる位相差と、該位相差付与部にて与えられる上記グルーブからの反射光成分と上記ランドからの反射光成分との位相差との合計の位相差がλ／３となるように構成される
請求項３に記載の再生装置。
【請求項５】
上記位相差付与部は、
上記グルーブからの反射光成分と上記ランドからの反射光成分との間に付与する位相差を変化させることが可能に構成され、
上記グルーブを対象とした読出時と上記ランドを対象とした読出時とで上記グルーブからの反射光成分と上記ランドからの反射光成分との間に付与される位相差が変化されるように上記位相差付与部を制御する制御部を備える
請求項３に記載の再生装置。
【請求項６】
上記位相差付与部は、
上記往路と復路のうち復路の光に対してのみ位相差を付与する位置に挿入されている
請求項３に記載の再生装置。
【請求項７】
上記光記録媒体には、
上記記録面における同一の平坦面上に記録マーク列が同心円状又はスパイラル状に形成されており、
上記光源より出射され上記光記録媒体に照射されるまでの光路を往路、上記光記録媒体にて反射され上記受光部により受光されるまでの光路を復路としたとき、上記位相差付与部が、上記往路及び上記復路の双方の光に対して位相差を付与する位置に挿入されている
請求項１に記載の再生装置。
【請求項８】
上記位相差付与部は、
入射光に対しλ／６の位相差を付与するように構成される
請求項７に記載の再生装置。
【請求項９】
上記受光部は、
上記共焦点位置に配置した１．５λ／ＮＡ未満のサイズによる受光素子によって上記反射光の上記中心部光を受光する
請求項１に記載の再生装置。
【請求項１０】
光源より出射された光を対物レンズを介して光記録媒体に照射し、該照射した光に応じて上記光記録媒体の記録面から得られる反射光を集光レンズによって集光して受光部により受光する再生装置における再生方法であって、
上記光源から上記受光部までの間の光路中において、上記記録面に形成されたトラックのうち読出対象とされるトラックからの反射光成分と、該読出対象のトラックに隣接するトラックからの反射光成分との間に所定の位相差を付与する位相差付与手順と、
上記光源より出射された光が上記対物レンズにより上記記録面に合焦するときの上記集光レンズによる焦点位置を共焦点位置とし、上記対物レンズによって上記光記録媒体に照射される光の波長をλ、上記対物レンズの開口数をＮＡとしたとき、上記共焦点位置における上記反射光の中心部光としての、上記共焦点位置における光軸を中心とした直径１．５λ／ＮＡ未満の範囲内の光を抽出して受光する受光手順と
を有する再生方法。
【発明の詳細な説明】
【技術分野】
【０００１】
本技術は、光記録媒体に記録された情報を再生するための再生装置とその方法に関し、特に、隣接トラックからのクロストークによる影響を低減する技術に関する。
【先行技術文献】
【特許文献】
【０００２】
【特許文献１】特開２００２−２６９７７６号公報
【０００３】
【非特許文献１】Naoyasu Miyagawa,Yasuhiro Gotoh,Eiji Ohno,Kenichi Nishiuchi and Nobuo Akahira "Land and Groove Recording for High Track Density on Phase-Change Optical Disks" Jpn.J.Appl.Phys.Vol.32(1993)pp.5324-5328 Part1,No.11B,November 1993
【背景技術】
【０００４】
例えばＣＤ（Compact Disc）、ＤＶＤ（Digital Versatile Disc）、ＢＤ（Blu-ray Disc：登録商標）など、光の照射により情報の記録又は再生が行われる光記録媒体が広く普及している。
【０００５】
これら光記録媒体としても、記録媒体として大記録容量化の要請があり、そのためにトラックピッチを詰める等の手法が採られてきた。
【０００６】
しかしながら、トラックピッチを詰めると、隣接トラックに記録された情報によるクロストークが問題となる。
【０００７】
光記録媒体についてクロストークを低減する、換言すれば対象トラックの読出信号についてのＳ／Ｎ（信号対雑音比）改善を図るための技術として、例えば上記の特許文献１や非特許文献１に記載されるように、グルーブの深さをλ／６とする技術が知られている。なお、λは記録再生波長を意味する。
【０００８】
特に上記非特許文献１には、深さ＝λ／６としたグルーブと、該グルーブの間に配されるランドとの双方に記録を行う技術が開示されている。このような溝深さ＝λ／６としたグルーブ／ランド記録の技術によれば、隣接トラック（つまりグルーブを読出対象とする場合は隣接するランド、ランドを読出対象とする場合は隣接するグルーブ）からのクロストークを低減することができる。
【０００９】
或いは、クロストークの低減については、隣接トラックの読出信号をストアしておき、それを用いて読出対象トラックの読出信号についてクロストークキャンセルのための信号処理を施すという技術も提案されている。
【発明の概要】
【発明が解決しようとする課題】
【００１０】
しかしながら、前者の溝深さによるクロストーク低減手法については、形成すべき溝の深さが比較的深いものとなるために、グルーブ／ランドで記録再生特性に差が出やすいという問題がある。特に、グルーブに対して光が入りにくくなるため、ランドの記録時と比較してグルーブの記録時に高パワーを要するものとなる。
また前者の手法では、溝深さが比較的深いため、ディスク成型時におけるスタンパの離型性が悪化傾向となり、歩留まりの面で問題となる。
さらに前者の手法は、溝深さが比較的深いため、非点収差法のフォーカスエラー信号にグルーブからの反射光成分が漏れ込み易く、フォーカスエラー信号のＳ／Ｎが悪化するという問題も有する。
【００１１】
また、信号処理によりクロストークの低減を図る後者の手法では、クロストーク低減のための信号処理部を別途に設けることを要するなど、構成の複雑化を招く。また、隣接トラックの読出信号との位相を合わせるのが非常に困難であるという問題も有する。
また、再生レートの向上のため読出対象トラックに加え隣接（×２）トラックを同時に読み出すものとすると、合計で３つのビームスポットを形成することを要し、またそれぞれのビームスポットによる反射光を別々に検出する構成も要することとなって、光学系の構成も複雑化してしまう。
【００１２】
本技術は、上記のような従来技術の有する問題点の解決を図りつつ、隣接トラックからのクロストークを低減して光記録媒体の記録容量の拡大化を図ることをその課題とする。
【課題を解決するための手段】
【００１３】
上記課題の解決のため、本技術では再生装置を以下のように構成する。
すなわち、本技術の再生装置は、光源と、上記光源より出射された光を光記録媒体に対して照射すると共に、該照射した光に応じて上記光記録媒体の記録面から得られる反射光が入射される対物レンズとを備える。
また、上記対物レンズを介して得られる上記反射光が入射され、該反射光を集光する集光レンズを備える。
また、上記光源より出射された光が上記対物レンズにより上記記録面に合焦するときの上記集光レンズによる焦点位置を共焦点位置とし、上記対物レンズによって上記光記録媒体に照射される光の波長をλ、上記対物レンズの開口数をＮＡとしたとき、上記共焦点位置における上記反射光の中心部光としての、上記共焦点位置における光軸を中心とした直径１．５λ／ＮＡ未満の範囲内の光を抽出して受光する受光部を備える。
また、上記光源から上記受光部までの間の光路中に挿入され、上記光記録媒体の上記記録面に形成されたトラックのうち読出対象とされるトラックからの反射光成分と、該読出対象のトラックに隣接するトラックからの反射光成分との間に所定の位相差を付与する位相差付与部を備えるものである。
【００１４】
上記のように本技術では、いわゆる共焦点光学系を採用するものとしており、記録面から得られる反射光について、共焦点位置における光軸を中心とした直径１．５λ／ＮＡ未満の範囲内の光（中心部光）を抽出して受光するものとしている。
その上で、光源から受光部までの間の光路中において、上記記録面に形成されたトラックのうち読出対象とされるトラックからの反射光成分と該読出対象のトラックに隣接するトラックからの反射光成分との間に位相差を付与するものとしている。
このような構成により、記録面に形成するグルーブの深さに関わらず、光記録媒体に所望深さのグルーブを形成した場合と同様の位相差が付与されるようにできる。つまりこの結果、従来のλ／６深さのグルーブを形成する場合と同様のクロストーク低減効果を、深さλ／６未満のグルーブの形成、或いはグルーブを非形成としても実現することが可能となる。
【発明の効果】
【００１５】
上記のように本技術によれば、グルーブをλ／６未満の深さ、或いは非形成としても、従来のλ／６深さのグルーブを形成する場合と同様のクロストーク低減効果を得ることができる。従って、従来のλ／６深さのグルーブを形成する手法の抱えていた問題の解決が図られる。
【００１６】
また本技術によれば、クロストークの低減は共焦点光学系にて位相差付与部を付加することで実現できるので、従来の信号処理によってクロストークの低減を図る手法の抱えていた問題も解決できる。
【図面の簡単な説明】
【００１７】
【図１】第１の実施の形態の再生装置の構成についての説明図である。
【図２】第１（及び第２）の実施の形態で用いる光ディスクの記録面を模式的に示した斜視図である。
【図３】位相マスクによる位相差付与パターンの例を示した図である。
【図４】等価光スポットについての説明図である。
【図５】共焦点光学系の必要性について説明するための図である。
【図６】抽出領域サイズとジッターとの関係についてのシミュレーション結果（抽出領域サイズ対ジッター）を示した図である。
【図７】同じく、抽出領域サイズとジッターとの関係についてのシミュレーション結果（抽出領域サイズごとのトラックピッチ−に対するジッター変化特性）を示した図である。
【図８】同じく、抽出領域サイズとジッターとの関係についてのシミュレーション結果（抽出領域サイズごとのトラックピッチに対するジッター変化特性）を示した図である。
【図９】トラックピッチに対するジッターの変化特性についてのシミュレーション結果を従来の溝深さ＝λ／６によるグルーブ／ランド記録の手法との対比して示した図である。
【図１０】第２の実施の形態の再生装置の構成についての説明図である。
【図１１】第３の実施の形態の再生装置の構成についての説明図である。
【図１２】第３の実施の形態で用いる光ディスクの記録面を模式的に示した斜視図である。
【図１３】第３の実施の形態のトラックピッチに対するジッターの変化特性についてのシミュレーション結果を示した図である。
【図１４】位相差付与パターンの変形例についての説明図である。
【図１５】可変位相マスクを用いる変形例についての説明図である。
【発明を実施するための形態】
【００１８】
以下、本技術に係る実施の形態について説明する。
なお、説明は以下の順序で行う。
＜１．第１の実施の形態＞
［1-1．再生装置の構成］
［1-2．原理］
［1-3．抽出領域サイズについて］
［1-4．効果］
＜２．第２の実施の形態＞
＜３．第３の実施の形態＞
＜４．変形例＞
【００１９】
＜１．第１の実施の形態＞
［1-1．再生装置の構成］
図１は、本技術に係る第１の実施の形態としての再生装置の構成について説明するための図である。
本実施の形態の再生装置は、図のようにレーザ１、コリメーションレンズ２、ビームスプリッタ３、ビームスプリッタ４、対物レンズ５、集光レンズ６、ピンホール７、フォトディテクタ８、シリンドリカルレンズ９、フォトディテクタ１０、及び位相マスク１１を有し、図中の光ディスクＤに記録された情報の再生を行う。
【００２０】
ここで、光ディスクＤは、円盤状の光記録媒体であり、光の照射により情報の記録及び再生が行われる。光ディスクＤは、再生装置に設けられた不図示のスピンドルモータによって回転駆動される。
【００２１】
ここで、第１の実施の形態、及び後述する第２の実施の形態では、光ディスクＤの記録面に案内溝としてのグルーブが形成されることを前提とする。
図２は、光ディスクＤの記録面の様子を模式的に示した斜視図である。
この図２に示すように光ディスクＤの記録面には、深さｄｐによるグルーブＧが形成されている。本例の場合グルーブＧは、記録面上にてスパイラル状に形成されており、これに伴い記録面上では、半径方向においてグルーブＧとランドＬとが交互に配列される。
【００２２】
そして記録面には、いわゆるグルーブ／ランド記録として、グルーブＧとランドＬの双方に記録マークＭが形成されている。
この場合、記録マーク列を１つのトラックとして捉えるものとし、従ってトラックピッチｔｐは図のようにグルーブＧとランドＬとの形成間隔とする。すなわち、グルーブＧの中心とランドＬの中心とのピッチとする。
【００２３】
説明を図１に戻す。
レーザ１より出射されたレーザ光は、コリメーションレンズ２によって平行光となるようにされた後、ビームスプリッタ３に入射する。ビームスプリッタ３に入射したレーザ光は、その一部が該ビームスプリッタ３の分光面で反射され、図のようにビームスプリッタ４に入射する。
【００２４】
ビームスプリッタ４に入射したレーザ光はその一部が該ビームスプリッタ４の分光面を透過し、図のように対物レンズ５を介して、光ディスクＤに対して照射される。
この対物レンズ５により、上記レーザ光が光ディスクＤの記録面に集光（合焦）するようにされる。
【００２５】
上記のように記録面にレーザ光が照射されることに応じては、該記録面からの反射光が得られ、該反射光は、対物レンズ５を介してビームスプリッタ４に入射する。
ビームスプリッタ４は、その分光面にて、このように対物レンズ５を介して得られた上記反射光の一部を透過、一部を反射する。
【００２６】
ビームスプリッタ４で反射された上記反射光は、図中のシリンドリカルレンズ９とフォトディテクタ１０とによるサーボ信号生成用の受光光学系に入射する。すなわち、該反射光は、シリンドリカルレンズ９を介してフォトディテクタ１０の受光面上に集光するようにされる。
フォトディテクタ１０による受光信号は、図のように受光信号Ｄ-svとする。
該受光信号Ｄ-svは、対物レンズ５のフォーカス／トラッキングの各サーボ制御のためのエラー信号の生成のために用いられる。
なお、シリンドリカルレンズ９を用いていることからも理解されるように、本例の場合におけるフォーカスエラー信号の生成は非点収差法により行われるものである。
【００２７】
ビームスプリッタ４を透過した上記反射光は、ビームスプリッタ３に入射し、その一部が該ビームスプリッタ３の分光面を透過する。
ビームスプリッタ３を透過した上記反射光は、図のように位相マスク１１を介した後、集光レンズ６によって集光される。
【００２８】
ここで、本実施の形態の再生装置では、光学系にいわゆる共焦点光学系を採用するものとしている。
すなわち、この場合の光学系は、共焦点位置としての、対物レンズ５によりレーザ光が光ディスクＤの記録面に合焦しているときの集光レンズ６による焦点位置における中心部（光軸を含む中心部）の光を抽出して受光するように構成されている。
具体的に本例では、上記共焦点位置に対しピンホール７が配置され、該ピンホール７によって上記共焦点位置における中心部の光を抽出するようにされる。そして、このように抽出された中心部の光を、フォトディテクタ８によって受光するようにされる。
なお図示されているように、この場合のフォトディテクタ８は、ピンホール７によって抽出された像を拡大して受光することになる。
【００２９】
上記のようにピンホール７によって抽出された中心部の光を受光して得られる、フォトディテクタ８による受光信号を受光信号Ｄ-rdとする。この受光信号Ｄ-rdは、光ディスクＤの記録面上に記録マークＭにより記録された情報の再生に用いられる。すなわち、図示は省略したが、本実施の形態の再生装置には該受光信号Ｄ-rdを入力して上記の記録情報（記録データ）についての再生を行う再生信号処理部が設けられており、該再生信号処理部によって記録データに応じた再生データが得られるものである。
【００３０】
また、図示は省略したが、本実施の形態の再生装置には、対物レンズ５をトラッキング方向（光ディスクＤの半径方向に平行な方向）、フォーカス方向（光ディスクＤに対し接離する方向）に変位させるアクチュエータが設けられると共に、前述したフォトディテクタ１０により得られる受光信号Ｄ-svに基づきトラッキングエラー信号、フォーカスエラー信号を生成する信号生成部、及びこれらトラッキングエラー信号、フォーカスエラー信号からサーボ制御のためのトラッキングサーボ信号、フォーカスサーボ信号を生成するサーボ回路、及びこれらトラッキングサーボ信号、フォーカスサーボ信号に基づく駆動信号によって上記アクチュエータを駆動する駆動部とが設けられる。これにより、対物レンズ５についてのトラッキングサーボ制御、フォーカスサーボ制御が実現される。
【００３１】
［1-2．原理］
先に述べたように従来の溝深さ＝λ／６としたグルーブ／ランド記録の手法では、クロストークの低減効果、つまりは対象トラックの読出信号についてのＳ／Ｎ（信号対雑音比）改善効果は得られるが、溝深さ（ｄｐ）が比較的深いことから種々の問題を招いていた。
そこで本実施の形態では、深さｄｐを浅くしつつ、従来と同様のクロストーク低減効果を得る手法を提案する。
【００３２】
本実施の形態では、グルーブＧの深さｄｐによって与えられる位相差、すなわちグルーブＧの反射光成分とランドＬの反射光成分とに与えられる位相差を、光学系中に挿入した位相マスク１１によっても与えるという手法を採る。
【００３３】
図３は、位相マスク１１による位相差付与パターンの例を示している。
なお図中「Ｔｒａｃｋ」と示す矢印は、位相マスク１１の配置面上における、光ディスクＤの記録面においてトラック（記録マーク列）が形成される方向と対応する方向を表している。光ディスクＤが回転されると、記録マークＭに相当する像が該Ｔｒａｃｋ方向に移動することになる。
【００３４】
位相マスク１１は、該位相マスク１１に入射する光束について、該光束内の図中の領域ａの光と、領域ｂ１、領域ｂ２の光とに位相差を与えることができるように構成される。
本実施の形態の位相差マスク１１の目的は、該位相マスク１１に入射する光束内に存在する、読出対象とされたトラック（例えばグルーブＧ上とする）の反射光成分と該読出対象とされたトラックに隣接する各マーク列（例えば読出対象のグルーブＧに隣接する各ランドＬ）の反射光成分とに所要の位相差を与えることにある。このため、上記の領域ａとしては、光軸を含む上記光束の中央部に設定され、領域ｂ１，ｂ２は、上記中央部を挟んでその左右に設定される。なお確認のため述べておくと、上記「左右」とは、上記のＴｒａｃｋ方向を基準としてその左右という意味である。
【００３５】
より具体的に、本例の場合、領域ｂ２は、入射光束の直径をＢとしたとき、該直径Ｂによる円状領域内における角度４５°〜１３５°の間の９０°の中心角を有する扇状の領域から、光軸を中心とする直径Ａによる円状領域内における角度４５°〜１３５°までの９０°の中心角を有する扇状の領域を除いた領域として設定される。
また領域ｂ１は、光軸を通りＴｒａｃｋ方向に平行な軸を中心軸としたとき、該中心軸に対し上記の領域ｂ２と左右対称な位置に設定される。
領域ａは、直径Ｂの円状領域からこれら領域ｂ１，ｂ２を除いた部分とされる。
このとき、Ａ＜Ｂであり、具体的に本例ではＡ／Ｂ＝４１％としている。
【００３６】
本例の位相マスク１１は、グレーティング（回折格子）で構成され、回折により光束内の領域ａの光と領域ｂ１，領域ｂ２の光とに所要の位相差を与える。
【００３７】
ここで、従来の溝深さ＝λ／６によるグルーブ／ランド記録の手法では、グルーブＧの反射光成分とランドＬの反射光成分とに往復で２×λ／６＝λ／３の位相差が与えられるものとなる。
【００３８】
本実施の形態では、グルーブＧの深さｄｐは、前述した溝深さによる問題の解決を図るべく、λ／６よりも浅く設定する。具体的に本例では、ｄｐ＝λ／１２に設定されるものとする。この場合、グルーブＧとランドＬとの段差に起因して与えられる位相差は、往復で２×λ／１２＝λ／６となる。
【００３９】
このような深さｄｐの設定の下、従来の溝深さ＝λ／６としたグルーブ／ランド記録の手法と同様のクロストーク低減効果を実現するためには、上記の段差起因のλ／６の位相差と併せて、位相マスク１１によってさらにλ／６の位相差が与えられるようにすればよい。
【００４０】
しかしながら、実際においては、単に光路中に位相マスク１１を挿入したのみでは、グルーブＧの反射光成分とランドＬの反射光成分とに所定の位相差を付与できないことが判明した。
この点について、以下、図４及び図５を参照して説明する。
【００４１】
図４は、等価光スポットについての説明図である。
なお、以下で説明する等価光スポットの考え方については、本発明者らによる下記の参考文献１にも開示されている。
・参考文献１：Kimihiro Saito,Kamon Uemura,Yoshiaki Kato,Satoshi Hineno,Yoshiyuki Matsumoto,Noriaki Nishi and Kiyoshi Toyota "Optical Disk Readout Analysis Using an Extended Point Spread Function" Jpn.J.Appl.Phys.Vol.39(2000)pp.693-697 Part1,No.2B,February 2000
【００４２】
等価光スポットの考え方については、詳しくは上記参考文献１を参照されたいが、要点としては下記の通りである。
先ず、光ディスク（図中「disk」）の反射率を動く部分（R0(p)*Mark(p+Δp)）と動かない部分（R0(p)）とに分け、参考文献１中の(4)式が成り立つとすると、ディテクタ（図中「detector」）の受光信号から得られる再生信号は、参考文献１中の(6)式のように、EPSFという仮想的な光スポットとマークの動く部分（Mark）のコンボリューションで計算できる（図中の式も参照）。
EPSFは２つの振幅光スポットのかけ算で表され、１つは、光源から光ディスク上へ絞られた光スポット振幅（U(p)）の複素共役、もう１つは、U(p)が光ディスクの動かない部分で反射されてディテクタ上に到達し、該ディテクタで制限されてから仮想的に逆の光路をたどって光ディスク上に投影される光スポット振幅(V(p))である(参考文献１中の(7)式)。
なお確認のため述べておくと、図中のASF(r)は上記の光スポット振幅U(p)に相当するものであり、図中のASF'(r)は上記の仮想的な光スポット振幅V（p）に相当するものである。
【００４３】
ここで、前述のように従来の溝深さ＝λ／６によるグルーブ／ランド記録の場合、グルーブＧとランドＬにおいて往復でλ／３の位相差が与えられることになるが、これは、例えば次のような場合と等価であると考えることができる。すなわち、グルーブＧが無い光ディスクに同様なデータのトラックピッチでマークＭが形成されており、EPSFにはセンタートラック（読出対象のトラック）に対して隣接トラックの部分でλ／３の位相差が与えられているような場合である。
【００４４】
しかしながら実際には、単純に位相差を発生させる素子等を光路中に挿入しても、EPSFに対して位相を載せることはできない。
図５Ａはその説明図である。
この図５Ａの例では、単純に対物レンズを介して得られる光ディスクからの反射光を集光して受光するのみとしている。
この構成においては、位相マスクを光路中に挿入したとしても、位相差を付与することができない。すなわち該図５Ａの構成では、ASFは通常の光スポット振幅（位相差が付与されないという意で通常）となる一方で、ASF'は、ディテクタを介しての往復で位相マスクによる位相がキャンセルされてASFとなってしまう。この結果、EPSFとしては、ASF・ASF*＝|ASF|2となって、位相を載せることができないものとなる。
【００４５】
なお図５Ａでは、先の図１と同様に復路（光ディスクの記録面からディテクタまでの間の光路）の光に対してのみ位相マスクを作用させようとした例を示したが、往路（光源から光ディスクの記録面までの間の光路）の光に対してのみ位相マスクを作用させようとしたときには、ASF*ASF'*＝|ASF|2となって、同様に位相が載らないものとなる。
【００４６】
この点を考慮し、本実施の形態では、位相マスク１１を設けると共に、共焦点光学系を採用するものとしている。
図５Ｂは、共焦点光学系を模式化して示している。
この図５Ｂに示す光学系においても、図１に示した光学系と同様に、共焦点位置に対してピンホールを配置している。すなわちこのピンホールによって、共焦点位置における反射光（光ディスクからの反射光）の中心部の光を抽出し、該抽出された光をディテクタによって受光するようにされる。
【００４７】
このような共焦点光学系の採用により、ASF'における往路（復路対物レンズから位相マスクを介してディテクタに至るASF'の光路）分の位相（収差）は、共焦点位置における中心部の抽出（この場合はピンホールによる抽出）により整形されるので、復路（ディテクタから位相マスクを介して光ディスクに至るASF'の光路）における位相がASF'に反映されることになる。
この結果、EPSFに対して位相を載せることができるものである。
【００４８】
このように位相マスク１１を光路中に挿入し、且つ共焦点光学系を採用した本実施の形態の再生装置によれば、グルーブＧの深さｄｐを従来のλ／６より浅くしても、浅くした分で低減された位相差を位相マスク１１によって補うことができ、結果、従来の溝深さ＝λ／６によるグルーブ／ランド記録の場合と同等のクロストーク低減効果を得ることができる。
【００４９】
［1-3．抽出領域サイズについて］
ここで、良好なクロストーク低減効果を得るにあたっては、共焦点位置における抽出領域サイズを適切に設定すべきである。
図６，図７，及び図８は、抽出領域サイズ（この場合はピンホール７のサイズ）とジッター（Jitter）との関係についてシミュレーションを行った結果を示している。
ここで共焦点位置における抽出領域サイズは、光軸を中心とした直径サイズで表される。
【００５０】
先ず図６は、トラックピッチｔｐを０．２２μｍで固定とした条件下で、共焦点位置における抽出領域サイズを変化させた際のジッター計算結果を示している。
なお図６ではピンホール７のサイズを回折限界（λ／ＮＡ）を基準として表している。ここでλは記録再生波長（レーザ１が発するレーザ光の波長）、ＮＡは対物レンズ５の開口数である。
また、この図６を始めとして図７，図８のシミュレーションにおいては、光ディスクＤの線密度を２５ＧＢＬ、グルーブＧの深さｄｐ＝λ／１２、グルーブＧ／ランドＬの幅のduty＝５０％、記録マークＭの幅＝０．４５ｔｐとした。また位相マスク１１の回折格子パターンとしては、格子ピッチ＝０．３４μｍ、溝深さ＝λ／５、duty５０％の回折パターン相当とした。
【００５１】
図６を参照すると、抽出領域サイズとジッターとの関係においては、抽出領域サイズが回折限界（λ／ＮＡ）の１．５倍のとろこに変極点があることが分かる。具体的にジッターは、抽出領域サイズがλ／ＮＡの１．５倍未満の領域で大幅に低下傾向となる。図のようにこの低下傾向はλ／ＮＡ×０．５程度までほぼ一定で継続し、λ／ＮＡ×０．５未満の領域では、ジッターは若干の上昇はあるもののほぼ横這い状態となる。
【００５２】
この点より、共焦点位置における抽出領域サイズ、すなわち本例ではピンホール７のサイズは、光軸を中心とした直径１．５λ／ＮＡ未満のサイズとすることが望ましいと言える。
【００５３】
また上記図６の結果によると、共焦点位置における抽出領域サイズは、より良好なクロストーク低減効果を得る上ではλ／ＮＡ以下のサイズとすることが望ましいと言える。
【００５４】
図７は、抽出領域サイズをそれぞれλ／４ＮＡ、３λ／４ＮＡ、５λ／４ＮＡ、７λ／４ＮＡとしたときのトラックピッチｔｐに対するジッターの変化特性についての計算結果を示している。
また、図８は抽出領域サイズをそれぞれλ／８ＮＡ、３λ／８ＮＡ、５λ／８ＮＡ、７λ／８ＮＡとしたときのトラックピッチｔｐに対するジッターの変化特性についての計算結果を示している。
なおこれら図７，図８では比較として、グルーブＧが非形成とされたミラー面に記録マーク列が形成された光ディスクを通常の光学系（位相マスク１１なし且つ共焦点光学系による中心部光の抽出なし）で読み出しを行った場合の結果を示している（図中、Mirror-Nrml）。
【００５５】
これら図７，図８の結果によっても、抽出領域サイズとしては、１．５λ／ＮＡ未満のサイズにおいて、より小さいほどクロストーク低減効果が高まる傾向となることが確認できる（特にｔｐ＝０．２４μｍ以下とした場合）。
【００５６】
［1-4．効果］
上記により説明した第１の実施の形態としての再生装置による効果を確認するべく、従来の溝深さ＝λ／６によるグルーブ／ランド記録の手法との対比を図９に示しておく。
この図９では、トラックピッチｔｐに対するジッターの変化特性についてのシミュレーション結果を示しており、図中◆印でプロットした特性が本実施の形態の特性（G/L(λ/12)）、▲印でプロットした特性が溝深さ＝λ／６によるグルーブ／ランド記録の手法の特性（G/L(λ/6)）を表す。またこの図では参考として、前述の「Mirror-Nrml」の特性（×印のプロット）も併せて示している。
なおこの図９のシミュレーションにおいても、先の図６〜図８と同様に光ディスクＤの線密度を２５ＧＢＬ、グルーブＧ／ランドＬの幅のduty＝５０％、記録マークＭの幅＝０．４５ｔｐとした。また、本実施の形態の特性については、抽出領域サイズを３λ／８ＮＡとした特性を示しており、先の図６〜図８と同様、位相マスク１１の回折格子パターンは格子ピッチ＝０．３４μｍ、溝深さ＝λ／５、duty５０％の回折パターン相当とした。
【００５７】
この図９より、本実施の形態によれば、従来の溝深さ＝λ／６によるグルーブ／ランド記録の手法とほぼ同等のクロストーク低減効果が得られることが分かる。
特に本実施の形態によれば、トラックピッチが０．２８μｍ以下の領域でクロストーク低減効果がより高くなることが確認できる。
【００５８】
このようにして本実施の形態によれば、グルーブＧをλ／６未満の深さｄｐとしても、従来のλ／６深さのグルーブを形成する場合と同様のクロストーク低減効果を得ることができる。従って、従来のλ／６深さのグルーブを形成する手法の抱えていた問題、具体的には、記録再生特性に差が出やすいとの問題、ディスク成型時における離型性の悪化の問題、さらに非点収差法のフォーカスエラー信号のＳ／Ｎの悪化の問題の解決を図ることができる。
【００５９】
また本実施の形態によれば、クロストークの低減は、光学系に共焦点光学系を採用し光路中に位相マスク１１を挿入することで実現できるので、従来の信号処理によってクロストークの低減を図る場合のような構成の複雑化を招くこともない。さらには、読出対象トラックとその隣接（×２）トラックとを同時に読み出すための３つのビームスポットを形成する必要性もなく、またそれぞれのビームスポットによる反射光を別々に検出する構成も不要であり、光学系の構成の複雑化を招く虞もない。
【００６０】
また、本実施の形態では、位相マスク１１を往路と復路のうち復路の光に対してのみ位相差が付与される位置に挿入するものとしているが、これにより、位相マスク１１による位相差付与の影響が、サーボ系に影響を与えないようにできる。この結果、サーボ性能の悪化防止が図られる。
【００６１】
＜２．第２の実施の形態＞
続いて第２の実施の形態について説明する。
図１０は、第２の実施の形態としての再生装置の構成についての説明図である。
なお以下の説明において、既に説明済みとなった部分と同様となる部分については同一符号を付して説明を省略する。
【００６２】
第２の実施の形態は、第１の実施の形態の場合と同様にλ／６未満の深さｄｐによるグルーブＧが形成された光ディスクＤを用いるが（この場合もグルーブ／ランド記録）、位相マスク１１の挿入位置を、復路ではなく往路の光のみに位相差付与が為されるように設定したものである。
具体的にこの場合の位相マスク１１は、図のようにコリメーションレンズ２とビームスプリッタ３との間に挿入するものとしている。なお、位相マスク１１の挿入位置が変更される以外は、先の第１の実施の形態の再生装置の構成と同様となる。
【００６３】
先の図４及び図５を参照して説明したように、位相差付与を往路光のみに作用させた場合も、光ディスクＤからの反射光を単純に集光してフォトディテクタで検出したのでは、EPSFに位相を載せることができない。
そこで、位相マスク１１を往路光にのみ位相差付与が為される位置に挿入した第２の実施の形態においても、共焦点光学系を採用することによって、第１の実施の形態の場合と同様に位相マスク１１でEPSFに位相を載せることができるようにしたものである。
【００６４】
このような第２の実施の形態によっても、第１の実施の形態の場合と同様、グルーブＧの深さｄｐを従来のλ／６より浅くしても従来と同様のクロストーク低減効果を得ることができる。
【００６５】
＜３．第３の実施の形態＞
図１１は、第３の実施の形態の再生装置の構成についての説明図である。
第３の実施の形態は、記録面にグルーブＧが形成された光ディスクＤではなく、記録面にグルーブＧが非形成とされた光ディスクＤ’を用いると共に、位相差付与を、往路光と復路光の双方に対して行うように位相マスク１１を挿入するものである。
【００６６】
確認のため、光ディスクＤ’の記録面の様子を図１２の斜視図に模式的に示す。
図示するように光ディスクＤ’の記録面は、グルーブＧが非形成とされた平坦面とされた上で、記録マークＭが配列されている。本例の場合、記録マークＭは記録面上にてスパイラル状に形成されているとする。
この光ディスクＤ’においては、記録マーク列がトラック（図中Ｔｒ）を形成するものであり、これら記録マーク列としてのトラックの形成間隔が図のようにトラックピッチｔｐとなる。
【００６７】
説明を図１１に戻す。
第３の実施の形態の再生装置では、読出対象とするトラックからの反射光成分と該読出対象とするトラックに隣接するトラックからの反射光成分とに位相差を与えるための位相マスク１１が、往路光と復路光の双方に位相差付与が為される位置に対して挿入される。具体的に本例の場合、位相マスク１１は、図のように対物レンズ５とビームスプリッタ４との間に配置される。
確認のため述べておくと、この場合の位相マスク１１としても、読出対象とするトラックからの反射光成分と該読出対象とするトラックに隣接するトラックからの反射光成分とに位相差を与えるにあたっては、先の第１，第２の実施の形態で用いた位相マスク１１と同様の領域ａ、領域ｂ１,ｂ２を設定すればよい。
【００６８】
この場合、光ディスクＤ’にグルーブＧが形成されない分、付与すべき位相差は大とすべきである（同等のクロストーク低減効果を得る上で）。このため、位相マスク１１を往路光と復路光の双方に位相差付与が為される位置に対して挿入し、読出対象トラックの反射光成分とそれに隣接するトラックの反射光成分とに与えられる位相差が大となるようにしている。
【００６９】
またこの場合も、第１及び第２の実施の形態と同様に共焦点光学系を採用することで、前述のEPSFに対して位相マスク１１による位相差付与を可能としている。
【００７０】
ここで確認のため述べておくと、この場合はグルーブＧが非形成とされた光ディスクＤ’を用いるので、従来の溝深さ＝λ／６のグルーブ／ランド記録の手法と同等のクロストーク低減効果を得る上で必要とされるλ／３の位相差付与は、位相マスク１１単体で担うべきとなる。
上記のようにこの場合の位相マスク１１は往復で位相差を与えるように配置されているので、上記のλ／３の位相差付与を実現するためには、この場合の位相マスク１１は、往路／復路の各入射光に対し、λ／６の位相差（先の領域ａと領域ｂ１，ｂ２との位相差）を与えることができるように構成すればよい。
【００７１】
図１３は、上記により説明した第３の実施の形態としての再生装置によるトラックピッチに対するジッターの変化特性についてのシミュレーション結果を示している（図中、◆印のプロットで表す「Mirror-PHC」）。
なお図１３では比較として、従来の溝深さ＝λ／６によるグルーブ／ランド記録の手法を採用した場合における特性（▲印のプロット）と、先の「Mirror-Nrml」の特性（×印のプロット）も併せて示している。
なおこの図１３のシミュレーションにおいても、先の図６〜図８と同様に光ディスクＤの線密度を２５ＧＢＬとした。また、記録マークＭの幅については０．４５ｔｐとした。
また、第３の実施の形態の特性については、抽出領域サイズをλ／ＮＡ／２．１とした。また、位相マスク１１の回折格子パターンは格子ピッチ＝０．３４μｍ、溝深さ＝λ／６、duty５０％の回折パターン相当とした。
【００７２】
この図１３の結果より、第３の実施の形態によっても、従来の溝深さ＝λ／６によるグルーブ／ランド記録の手法を採用した場合とほぼ同等のクロストーク低減効果が得られることが分かる。
【００７３】
上記説明から理解されるように、第３の実施の形態によれば、記録面にグルーブＧを非形成としても、従来の溝深さ＝λ／６のグルーブ／ランド記録の手法と同様のクロストーク低減効果を得ることができる。つまりこの結果、第３の実施の形態によっても、先の第１，第２の実施の形態の場合と同様に従来のλ／６深さのグルーブを形成する手法の抱えていた問題点を解消しつつ、従来と同様のクロストーク低減効果を得ることができる。
また第３の実施の形態によっも、クロストークの低減は、光学系に共焦点光学系を採用し光路中に位相マスク１１を挿入することで実現できるので、従来の信号処理によってクロストークの低減を図る手法の抱えていた問題点も解決することができる。
【００７４】
なお、第３の実施の形態では、記録面にグルーブＧが非形成とされた光ディスクＤ’を用いるものとしたが、これは、必ずしも記録面の全面にわたってグルーブＧが非形成とされることを意味するものではない。すなわち第３の実施の形態で用いる光ディスクとしては、少なくとも記録面上の一部領域にグルーブＧが非形成とされた平坦面を有し、該平坦面に記録マーク列が形成されたものであればよい。
【００７５】
＜４．変形例＞
以上、本技術に係る各実施の形態について説明したが、本技術はこれまでで説明した具体例に限定されるべきものではない。
例えば、位相マスク１１による位相差付与パターンとしては、先の図３に示したパターンに限定されるべきものではない。
図１４は、位相差付与パターンの変形例についての説明図である。
位相差付与パターンとしては、例えば図１４Ａに示すように、領域ａと領域ｂ１，ｂ２との境界形状を図３の場合よりも滑らかにして、いわば野球ボールの縫い目のような境界形状を有するパターンとすることもできる。これは、グルーブによる回折パターンのような形状とも換言できる。
或いは、領域ａと領域ｂ１，ｂ２との境界形状として、図１４ＢのようにＴｒａｃｋ方向に平行な方向に延びる直線による境界形状を有するパターン（短冊状パターン）を採用することもできる。また、図１４Ｃのような円形の境界形状を有するパターン（リング状パターン）を採用することもできる（この場合、領域としては領域ａ／領域ｂの２種となる）。
【００７６】
本技術において、読出対象とするトラック（センタートラック）の反射光成分と該読出対象とするトラックに隣接するトラックの反射光成分とに所定の位相差を与えるにあたっては、位相差付与パターンとしては、少なくとも、上記センタートラックに対して対称なパターンを設定すればよいものである。
【００７７】
またこれまでの説明では、ピンホール７を配置して共焦点光学系を実現する場合を例示したが、受光可能領域のサイズが１．５λ／ＮＡ未満のサイズとされたフォトディテクタ８を共焦点位置に配置することによっても、共焦点光学系を実現できる。
【００７８】
ところで、先の第１，第２の実施の形態では、グルーブＧとランドＬのうち何れか一方を読出対象とする場合を前提として説明を行ったが、再生装置としては、実際には、グルーブＧの記録情報とランドＬの記録情報とを読み分けることが要請される。
ここで、例えば先に例示したように、グルーブＧの深さｄｐ＝λ／１２であるものとすると、該λ／１２分の段差に起因して、光束内に存在するグルーブＧの反射光成分とランドＬの反射光成分との間にλ／６の位相差が与えられる。具体的には、グルーブＧの反射光成分の位相が、ランドＬの反射光成分の位相に対しλ／６分遅れるものである。
このとき、例えばグルーブＧを読出対象としたとすると、従来のλ／６深さのグルーブを形成する手法と同等のクロストーク低減効果を得るべくλ／３相当の位相差が与えられるようにするには、位相マスク１１としては、領域ａ（この場合は読出対象であるグルーブＧの反射光成分に対応する領域）の光に対し、領域ｂ１，ｂ２（この場合は隣接トラックとしてのランドＬの反射光成分に対応する領域）の光の位相をλ／６分だけ進ませるように構成されるべきものとなる。
これに対し、ランドＬを読出対象とした際には、上記のλ／３相当の位相差を与えるには、位相マスク１１は、領域ａ（この場合は読出対象であるランドＬの反射光成分に対応する領域となる）の光に対し、領域ｂ１，ｂ２（この場合は隣接トラックとしてのグルーブＧの反射光成分に対応する領域となる）の光の位相をλ／６分だけ遅らせるように構成されるべきものとなる。すなわち、この場合において上記と同様に領域ｂ１，ｂ２の光の位相をλ／６分進ませてしまうと、グルーブＧ／ランドＬの段差に起因してランドＬの反射光成分に生じたλ／６分の位相進みがキャンセルされて、合計位相差が０となってしまうためである。
【００７９】
このように、位相差付与パターンが固定とされた位相マスク１１を用いたのでは、グルーブＧとランドＬとを適正に読み分けることができない。
そこで、図１５に示されるように、位相差付与パターンを変化させることが可能に構成された可変位相マスク１３を用い、該可変位相マスク１３による位相差付与パターンを、図中の制御部１４によって、グルーブＧの読出時とランドＬの読出時とで切り替えるようにする。
このとき、可変位相マスク１３としては、例えば液晶素子など制御信号により位相差を変化させることのできる素子を用いる。
なおこの図では、可変位相マスク１３を復路光にのみ位相差付与が為される位置（具体的にはビームスプリッタ３と集光レンズ６との間としている）に配置する場合を例示しているが、先の図１０に示したように往路光にのみ位相差付与が為される位置に配置する場合にも本変形例は適用可能なものである。
【００８０】
制御部１４は、グルーブＧを対象とした読出時には、領域ａの光の位相に対し領域ｂ１,ｂ２の光の位相がλ／６分だけ進むように、可変位相マスク１３による位相差付与パターンを制御する。また制御部１４は、ランドＬを対象とした読出時には、領域ａの光の位相に対し領域ｂ１,ｂ２の光の位相がλ／６分だけ遅れるように、可変位相マスク１３による位相差付与パターンを制御する。
【００８１】
例えばこのような構成により、グルーブＧの記録情報とランドＬの記録情報の読み分けが可能となる。
【００８２】
なお、グルーブＧの記録情報とランドＬの記録情報の読み分けを実現するための構成は、図１５にて説明したものに限定されるべきものではない。
例えばグルーブＧの読出用の光学系とランドＬの読出用の光学系の計２つの独立した光学系（読出ヘッド）を用いるものとし、グルーブＧの読出用の光学系に、領域ａの光の位相に対し領域ｂ１,ｂ２の光の位相をλ／６分だけ進ませるように構成された位相マスク１１を挿入し、ランドＬの読出用の光学系には領域ａの光の位相に対し領域ｂ１,ｂ２の光の位相をλ／６分だけ遅らせるように構成された位相マスク１１を挿入するという構成によっても、グルーブＧとランドＬの読み分けが可能である。
例えば該構成によれば、グルーブＧ／ランドＬの読み分けにあたり、固定の位相マスク１１を用いることが可能となる。
【００８３】
またこれまでの説明では、グルーブＧが形成された光ディスクＤを用いる場合には往路、復路の何れか一方に対してのみ位相差を付与する構成を採用し、またグルーブＧが非形成とされた光ディスクＤ’を用いる場合には往路・復路の双方に位相差を付与する構成を採用する場合を例示したが、逆に光ディスクＤを用いる場合に往路・復路の双方に位相差を付与する構成を採用し、また光ディスクＤ’を用いる場合に往路、復路の何れか一方に対してのみ位相差を付与する構成を採用することもできる。
これら何れの場合も、位相マスクが付与する位相差を適切に設定することで、従来の溝深さ＝λ／６によるグルーブ／ランド記録の手法を採る場合と同様のクロストーク低減効果を得ることが可能である。
【００８４】
また、これまでの説明において、第１，第２の実施の形態で用いた光ディスクＤでは、グルーブＧがスパイラル状に形成され、また第３の実施の形態で用いた光ディスクＤ’では記録マーク列（トラック）が同様にスパイラル状に形成される場合を例示したが、これらについてはスパイラル状ではなく同心円状に形成するものとしてもよい。
【００８５】
また、本技術としては以下に示す構成を採ることもできる。
（１）
光源と、
上記光源より出射された光を光記録媒体に対して照射すると共に、該照射した光に応じて上記光記録媒体の記録面から得られる反射光が入射される対物レンズと、
上記対物レンズを介して得られる上記反射光が入射され、該反射光を集光する集光レンズと、
上記光源より出射された光が上記対物レンズにより上記記録面に合焦するときの上記集光レンズによる焦点位置を共焦点位置とし、上記対物レンズによって上記光記録媒体に照射される光の波長をλ、上記対物レンズの開口数をＮＡとしたとき、上記共焦点位置における上記反射光の中心部光としての、上記共焦点位置における光軸を中心とした直径１．５λ／ＮＡ未満の範囲内の光を抽出して受光する受光部と、
上記光源から上記受光部までの間の光路中に挿入され、上記光記録媒体の上記記録面に形成されたトラックのうち読出対象とされるトラックからの反射光成分と、該読出対象のトラックに隣接するトラックからの反射光成分との間に所定の位相差を付与する位相差付与部と
を備える再生装置。
（２）
上記受光部は、
上記共焦点位置に配置したピンホールによって上記反射光の上記中心部光を抽出する
上記（１）に記載の再生装置。
（３）
上記記録面にはλ／６未満の深さによるグルーブが形成され、該グルーブと該グルーブの間に配されたランドとの双方に記録マーク列が形成されていると共に、
上記光源より出射され上記光記録媒体に照射されるまでの光路を往路、上記光記録媒体にて反射され上記受光部により受光されるまでの光路を復路としたとき、上記位相差付与部が、上記往路又は上記復路の何れか一方のみの光に対して位相差を付与する位置に挿入されている
上記（１）又は（２）何れかに記載の再生装置。
（４）
上記位相差付与部は、
上記グルーブにて反射された光と上記ランドにて反射された光との間に生じる位相差と、該位相差付与部にて与えられる上記グルーブからの反射光成分と上記ランドからの反射光成分との位相差との合計の位相差がλ／３となるように構成される
上記（３）に記載の再生装置。
（５）
上記位相差付与部は、
上記グルーブからの反射光成分と上記ランドからの反射光成分との間に付与する位相差を変化させることが可能に構成され、
上記グルーブを対象とした読出時と上記ランドを対象とした読出時とで上記グルーブからの反射光成分と上記ランドからの反射光成分との間に付与される位相差が変化されるように上記位相差付与部を制御する制御部を備える
上記（３）又は（４）何れかに記載の再生装置。
（６）
上記位相差付与部は、
上記往路と復路のうち復路の光に対してのみ位相差を付与する位置に挿入されている
上記（３）乃至（５）何れかに記載の再生装置。
（７）
上記光記録媒体には、
上記記録面における同一の平坦面上に記録マーク列が同心円状又はスパイラル状に形成されており、
上記光源より出射され上記光記録媒体に照射されるまでの光路を往路、上記光記録媒体にて反射され上記受光部により受光されるまでの光路を復路としたとき、上記位相差付与部が、上記往路及び上記復路の双方の光に対して位相差を付与する位置に挿入されている
上記（１）又は（２）何れかに記載の再生装置。
（８）
上記位相差付与部は、
入射光に対しλ／６の位相差を付与するように構成される
上記（７）に記載の再生装置。
（９）
上記受光部は、
上記共焦点位置に配置した１．５λ／ＮＡ未満のサイズによる受光素子によって上記反射光の上記中心部光を受光する
上記（１）又は（３）乃至（８）何れかに記載の再生装置。
【符号の説明】
【００８６】
１  レーザ、２  コリメーションレンズ、３,４  ビームスプリッタ、５  対物レンズ、６  集光レンズ、７  ピンホール、８,１０  フォトディテクタ、９  シリンドリカルレンズ、１１  位相マスク、１３  可変位相マスク、１４  制御部
【図１】
2014102865.tif 000003
【図２】
2014102865.tif 000004
【図３】
2014102865.tif 000005
【図４】
2014102865.tif 000006
【図５】
2014102865.tif 000007
【図６】
2014102865.tif 000008
【図７】
2014102865.tif 000009
【図８】
2014102865.tif 000010
【図９】
2014102865.tif 000011
【図１０】
2014102865.tif 000012
【図１１】
2014102865.tif 000013
【図１２】
2014102865.tif 000014
【図１３】
2014102865.tif 000015
【図１４】
2014102865.tif 000016
【図１５】
2014102865.tif 000017